(57)【特許請求の範囲】
【請求項１】
かご室の出入口における側縁部を形成していた出入口柱に、金属板を屈折して形成された被覆体が装着されたエレベーターの出入口装置であって、
上記出入口柱は、
上記かご室の出入口幅に対応していた第一柱面と、
上記かご室の壁面よりも室内側に配置され、上記壁面に対して段部を形成する第二柱面と、
を備え、
上記被覆体は、
上記かご室の出入口幅に対応し、裏面が上記第一柱面に接着固定された第一被覆面と、
上記第一被覆面とによって横断面Ｌ字状をなし、上記第二柱面及び上記段部の室内側に配置された第二被覆面と、
上記第一被覆面における反上記第二被覆面側の縁部が屈折されて形成され、上記出入口柱の出隅部に掛合する掛合部と、
上記第二被覆面における反上記第一被覆面側の縁部が屈折されることにより、上記かご室の出入口から離れるに従って上記壁面に接近するように形成され、その先端が、上記壁面と所定の間隙を有するように配置された斜面と、
を備え、
上記被覆体は、上記第二被覆面の裏面が、上記第一被覆面の裏面と上記出入口柱の上記第一柱面との間に形成された間隔よりも大きな間隔を有して、上記出入口柱の上記第二柱面に対向することを特徴とするエレベーターの出入口装置。
【発明の詳細な説明】
【０００１】
【発明の属する技術分野】
この発明は、かご室の出入口柱の補修時等に被覆体が出入口柱に装着されるエレベーターの出入口装置に関する。
【０００２】
【従来の技術】
図４〜図１０は、従来のエレベーターの出入口装置を示す図で、図４はエレベーターのかご室内における出入口側の透視図、図５は図４の出入口柱個所を拡大して示す横断平面図、図６は図５における出入口柱に被覆体が装着された状態を示す図、図７は図５における出入口柱に被覆体が装着された他の状態を示す図、図８は図５における出入口柱に被覆体を装着する状況を説明する図、図９は図５における出入口柱に被覆体を装着する他の状況を説明する図、図１０も図５における出入口柱に被覆体を装着する他の状況を説明する図である。
【０００３】
図において、１はエレベーターのかご室で、かご床２、かご床２から立設された壁３、壁３に設けられた出入口４、出入口４における側縁部を形成し柱面の一面が壁３面よりも室内側に突出して配置されて壁３面に対して段部５を形成して立設された出入口柱６、壁３の上端に設けられた天井７及び出入口４を開閉する引き戸８によって構成されている。また、出入口柱６には出入口４幅に対応した第一柱面９、かご室１内側に突出した第二柱面１０、第一柱面９のかご室１外側の第一出隅部１１及び第二柱面１０の段部５側の第二出隅部１２が形成されている。
【０００４】
１３は要時に出入口柱６に被着される被覆体で、ステンレス鋼板等の金属板が屈折されて横断面Ｌ字状をなしＬ字の一辺からなり出入口柱６の第一柱面９を被覆する第一被覆面１４、Ｌ字の他辺からなり出入口柱６の第二柱面１０を被覆する第二被覆面１５、第一被覆面１４における反第二被覆面１５側の縁部が屈折されて対向する出入口柱６の第一出隅部１１に掛合する第一掛合部１６及び第二被覆面１５における反第一被覆面１４側の縁部が屈折されて対向する出入口柱６の第二出隅部１２を覆うと共に屈折先端が段部５に重合する第二掛合部１７が形成されている。
【０００５】
従来のエレベーターの出入口装置は上記のように構成され、エレベーターの改修工事等において表面が汚損したり、傷が付いたりしたかご室１の出入口柱６の補修時に被覆体１３が出入口柱６に被着される。この被覆体１３の被着作業において、図６に示すように被覆体１３が出入口柱６に密接状態に装着されれば、正常に被覆体１３が出入口柱６に被着されて良好な仕上がり状態を得ることができる。
【０００６】
【発明が解決しようとする課題】
しかし上記のような従来のエレベーターの出入口装置では、金属板製の被覆体１３を弾性変形して出入口柱６に被着すると、ときに塑性変形が生じて図７に示すように壁３面と被覆体１３の第二掛合部１７先端の間に隙間Ａが発生する。また、被覆体１３の被着作業において図８に示すように、被覆体１３の第二掛合部１７を段部５に引っ掛けて第一掛合部１６側を回動し、第一出隅部１１に第一掛合部１６を掛合しようとしても、第一掛合部１６が出入口柱６の第一柱面９に当たるので被着不能である。
【０００７】
また、被覆体１３の被着作業において図９に示すように、被覆体１３を出入口柱６に対して横断面において平行に移動して被覆体１３を被着しようとしても、第一掛合部１６が出入口柱６の第一柱面９に当たり、また第二掛合部１７が出入口柱６の第二柱面１０に当たるので被着不能である。このため、被覆体１３の第二被覆面１５を図１０に示すように湾曲して弾性変形し出入口柱６に嵌合すると、塑性変形が生じることによって図７に示す隙間Ａが生じやすくなるという問題点があった。
【０００８】
この発明は、かかる問題点を解消するためになされたものであり、簡易な作業によって出入口柱に被覆体を正常に被着できるエレベーターの出入口装置を得ることを目的とする。
【０００９】
【課題を解決するための手段】
この発明に係るエレベーターの出入口装置は、かご室の出入口における側縁部を形成していた出入口柱に、金属板を屈折して形成された被覆体が装着されたエレベーターの出入口装置であって、出入口柱は、かご室の出入口幅に対応していた第一柱面と、かご室の壁面よりも室内側に配置され、壁面に対して段部を形成する第二柱面と、を備え、被覆体は、かご室の出入口幅に対応し、裏面が第一柱面に接着固定された第一被覆面と、第一被覆面とによって横断面Ｌ字状をなし、第二柱面及び段部の室内側に配置された第二被覆面と、第一被覆面における反第二被覆面側の縁部が屈折されて形成され、出入口柱の出隅部に掛合する掛合部と、第二被覆面における反第一被覆面側の縁部が屈折されることにより、かご室の出入口から離れるに従って壁面に接近するように形成され、その先端が、壁面と所定の間隙を有するように配置された斜面と、を備え、被覆体は、第二被覆面の裏面が、第一被覆面の裏面と出入口柱の第一柱面との間に形成された間隔よりも大きな間隔を有して、出入口柱の第二柱面に対向するものである。
【００１０】
【発明の実施の形態】
実施の形態１．
図１〜図３は、この発明の実施の形態の一例を示す図で、図１はエレベーターのかご室内における出入口側の透視図、図２は図１における出入口柱個所を拡大して示し出入口柱に被覆体が装着された状態を示す横断平面図、図３は図２における出入口柱に被覆体を装着する状況を説明する図である。
【００１１】
図において、１はエレベーターのかご室で、かご床２、かご床２から立設された壁３、壁３に設けられた出入口４、出入口４における側縁部を形成し柱面の一面が壁３面よりも室内側に突出して配置されて壁３面に対して段部５を形成して立設された出入口柱６、壁３の上端に設けられた天井７及び出入口４を開閉する引き戸８によって構成されている。また、出入口柱６には出入口４幅に対応した第一柱面９、かご室１内側に突出した第二柱面１０、第一柱面９のかご室１外側の第一出隅部１１及び第二柱面１０の段部５側の第二出隅部１２が形成されている。
【００１２】
１８は要時に出入口柱６に被着される被覆体で、ステンレス鋼板等の金属板が屈折されて横断面Ｌ字状をなしＬ字の一辺からなり出入口柱６の第一柱面９を被覆する第一被覆面１４、Ｌ字の他辺からなり出入口柱６の第二柱面１０を被覆する第二被覆面１５、第一被覆面１４における反第二被覆面１５側の縁部が屈折されて対向する出入口柱６の第一出隅部１１に掛合する掛合部１９及び第二被覆面１５における反第一被覆面１４側の縁部が屈折されて対向する出入口柱６の第二出隅部１２を覆うと共に屈折先端が段部５から離れた位置で壁面３に接近して配置される斜面２０が形成されている。
【００１３】
上記のように構成されたエレベーターの出入口装置において、エレベーターの改修工事等において表面が汚損したり、傷が付いたりしたかご室１の出入口柱６の補修時に被覆体１８が出入口柱６に被着される。この被覆体１８の被着作業において、図３に示すように被覆体１８を出入口柱６に対して横断面において平行に移動して被覆体１８を被着する作業が行われる。
【００１４】
この作業時に被覆体１８の斜面２０が出入口柱６の第二出隅部１２を滑ると共に、被覆体１８の掛合部１９が出入口柱６の第一出隅部１１に掛合する。これによって、図３の状態を経て図２に示すように被覆体１８が出入口柱６に密接した状態に装着される。また、壁３面と被覆体１８の斜面２０先端との間における図２に示す隙間Ｂを狭くすることができる。
【００１５】
これにより、煩雑な作業を要せず、また歪みの発生、隙間Ｂの拡大を伴うことなく、正常に被覆体１８を出入口柱６に被着することができる。したがって、簡単な作業によって容易に良好な仕上がり状態を得ることができて、補修作業能率を向上し改修工事費を低減することができる。なお、被覆体１８と出入口柱６の相互は対向面が適宜な接着剤によって接着される。
【００１６】
【発明の効果】
この発明は以上説明したように、かご室の出入口における側縁部を形成していた出入口柱に、金属板を屈折して形成された被覆体が装着されたエレベーターの出入口装置であって、出入口柱は、かご室の出入口幅に対応していた第一柱面と、かご室の壁面よりも室内側に配置され、壁面に対して段部を形成する第二柱面と、を備え、被覆体は、かご室の出入口幅に対応し、裏面が第一柱面に接着固定された第一被覆面と、第一被覆面とによって横断面Ｌ字状をなし、第二柱面及び段部の室内側に配置された第二被覆面と、第一被覆面における反第二被覆面側の縁部が屈折されて形成され、出入口柱の出隅部に掛合する掛合部と、第二被覆面における反第一被覆面側の縁部が屈折されることにより、かご室の出入口から離れるに従って壁面に接近するように形成され、その先端が、壁面と所定の間隙を有するように配置された斜面と、を備え、被覆体は、第二被覆面の裏面が、第一被覆面の裏面と出入口柱の第一柱面との間に形成された間隔よりも大きな間隔を有して、出入口柱の第二柱面に対向するものである。
【００１７】
これによって、煩雑な作業を要せず、また歪みの発生、壁面との隙間の拡大を伴うことなく、被覆体を出入口柱に密接した状態に被着することができる。したがって、簡単な作業によって容易に良好な仕上がり状態を得ることができ、補修作業能率を向上し改修工事費を低減する効果がある。
【図面の簡単な説明】
【図１】  この発明の実施の形態１を示す図で、エレベーターのかご室内における出入口側の透視図。
【図２】  図１における出入口柱個所を拡大して示し出入口柱に被覆体が装着された状態を示す横断平面図。
【図３】  図２における出入口柱に被覆体を装着する状況を説明する図。
【図４】  従来のエレベーターの出入口装置を示す図で、エレベーターのかご室内における出入口側の透視図。
【図５】  図４の出入口柱個所を拡大して示す横断平面図。
【図６】  図５における出入口柱に被覆体が装着された状態を示す図。
【図７】  図５における出入口柱に被覆体が装着された他の状態を示す図。
【図８】  図５における出入口柱に被覆体を装着する状況を説明する図。
【図９】  図５における出入口柱に被覆体を装着する他の状況を示す図。
【図１０】  図５における出入口柱に被覆体を装着する他の状況を示す図。
【符号の説明】
１  かご室、    ３  壁、    ４  出入口、    ５  段部、    ６  出入口柱、    ９  第一柱面、    １０  第二柱面、    １１  第一出隅部、    １２  第二出隅部、    １４  第一被覆面、    １５  第二被覆面、    １８  被覆体、    １９  掛合部、    ２０  斜面。
【図１】
0004256076.tif 000002
【図２】
0004256076.tif 000003
【図３】
0004256076.tif 000004
【図４】
0004256076.tif 000005
【図５】
0004256076.tif 000006
【図６】
0004256076.tif 000007
【図７】
0004256076.tif 000008
【図８】
0004256076.tif 000009
【図９】
0004256076.tif 000010
【図１０】
0004256076.tif 000011